(57)【特許請求の範囲】
【請求項１】
互いに異なる放送方式に基づく第１のテレビ放送信号と第２のテレビ放送信号を受信して表示するテレビ受像機であって、
前記第１のテレビ放送信号が入力される第１のアンテナ入力端子と、
当該第１のアンテナ入力端子から供給された前記第１のテレビ放送信号を増幅する第１の低雑音増幅器と、
当該第１の低雑音増幅器で増幅された前記第１のテレビ放送信号に基づいて強度変調された第１の光を発生する第１のレーザダイオードと、
前記第２のテレビ放送信号が入力される第２のアンテナ入力端子と、
当該第２のアンテナ入力端子から供給された前記第２のテレビ放送信号を増幅する第２の低雑音増幅器と、
当該第２の低雑音増幅器で増幅された前記第２のテレビ放送信号に基づいて強度変調された第２の光を前記第１の光とは異なる波長で発生する第２のレーザダイオードと、
前記第１のレーザダイオードが発生した第１の光と前記第２のレーザダイオードが発生した第２の光とを結合する光結合器と、
当該光結合器が結合した光を供給されて当該光を伝送する光ファイバーケーブルと、
当該光ファイバーケーブルが伝送した光を供給されて当該光を前記第１の光と前記第２の光に分離して出力する光分配器と、
当該光分配器から前記第１の光を供給され当該光を電気信号に変換する第１のフォトダイオードと、
前記第１のテレビ放送信号の周波数帯域を有し前記第１のフォトダイオードで変換して得た前記電気信号が供給され当該電気信号を増幅する第１の線形増幅器と、
当該第１の線形増幅器で増幅された前記電気信号が供給され当該電気信号を周波数変換して処理する第１のテレビ放送受信回路と、
前記光分配器から前記第２の光を供給され当該光を電気信号に変換する第２のフォトダイオードと、
前記第２のテレビ放送信号の周波数帯域を有し前記第２のフォトダイオードで変換して得た前記電気信号が供給され当該電気信号を増幅する第２の線形増幅器と、
当該第２の線形増幅器で増幅された前記電気信号が供給され当該電気信号を周波数変換して処理する第２のテレビ放送受信回路と、
前記第１のテレビ放送受信回路で処理された前記電気信号と前記第２のテレビ放送受信回路で処理された前記電気信号とから選択されたいずれかの電気信号に基づく映像を表示する表示部
を備えたことを特徴とするテレビ受像機。
【請求項２】
互いに異なる放送方式に基づく第１のテレビ放送信号と第２のテレビ放送信号を受信して表示するテレビ受像機であって、
前記第１のテレビ放送信号が入力される第１のアンテナ入力端子と、
当該第１のアンテナ入力端子から供給された前記第１のテレビ放送信号を増幅するＮ個（Ｎは２以上の整数）の第１の低雑音増幅器と、
当該Ｎ個の第１の低雑音増幅器で増幅された前記第１のテレビ放送信号のいずれか１個を排他的に供給され、供給された前記第１のテレビ放送信号に基づいて強度変調された第１の光を互いに異なる波長で発生するＮ個の第１のレーザダイオードと、
前記第２のテレビ放送信号が入力される第２のアンテナ入力端子と、
当該第２のアンテナ入力端子から供給された前記第２のテレビ放送信号を増幅するＭ個（Ｍは２以上の整数）の第２の低雑音増幅器と、
当該Ｍ個の第２の低雑音増幅器で増幅された前記第２のテレビ放送信号のいずれか１個を排他的に供給され、供給された前記第２のテレビ放送信号に基づいて強度変調された光を互いに異なる波長かつ前記第１の光とは異なる波長で発生するＭ個の第２のレーザダイオードと、
前記Ｎ個の第１のレーザダイオードが発生したＮ個の第１の光と前記Ｍ個の第２のレーザダイオードが発生したＭ個の第２の光とを結合する光結合器と、
当該光結合器が結合した光を供給されて当該光を伝送する光ファイバーケーブルと、
当該光ファイバーケーブルが伝送した光を供給されて当該光を波長に基づき前記Ｎ個の第１の光及び前記Ｍ個の第２の光に分離して出力する光分配器と、
当該光分配器から前記Ｎ個の第１の光のいずれか１個を排他的に供給され当該光を電気信号に変換するＮ個の第１のフォトダイオードと、
前記第１のテレビ放送信号の周波数帯域を有し前記Ｎ個の第１のフォトダイオードで変換して得たＮ個の前記電気信号のいずれか１個を排他的に供給され当該電気信号を増幅するＮ個の第１の線形増幅器と、
当該Ｎ個の第１の線形増幅器で増幅された前記Ｎ個の電気信号が供給され当該電気信号のいずれか１個を選択し周波数変換して処理する第１のテレビ放送受信回路と、
前記光分配器から前記Ｍ個の第２の光のいずれか１個を排他的に供給され当該光を電気信号に変換するＭ個の第２のフォトダイオードと、
前記第２のテレビ放送信号の周波数帯域を有し前記Ｍ個の第２のフォトダイオードで変換して得たＭ個の前記電気信号のいずれか１個を排他的に供給され当該電気信号を増幅するＭ個の第２の線形増幅器と、
当該Ｍ個の第２の線形増幅器で増幅された前記Ｍ個の電気信号が供給され当該電気信号のいずれか１個を選択し周波数変換して処理する第２のテレビ放送受信回路と、
前記第１のテレビ放送受信回路で処理された前記電気信号と前記第２のテレビ放送受信回路で処理された前記電気信号とから選択されたいずれかの電気信号に基づく映像を表示する表示部
を備えたことを特徴とするテレビ受像機。
【請求項３】
請求項１または請求項２に記載のテレビ受像機において、
前記第１のテレビ放送信号は地上波デジタルテレビ放送信号であり、前記第２のテレビ放送信号は衛星デジタルテレビ放送信号であることを特徴とするテレビ受像機。
【請求項４】
請求項１または請求項２に記載のテレビ受像機において、
前記第１及び第２の低雑音増幅器と前記第１及び第２のレーザダイオードと前記光結合器は、前記第１及び第２のアンテナ入力端子に近接して配置され、
前記光分配器と前記第１及び第２のフォトダイオードと前記第１及び第２の線形増幅器と前記第１及び第２のテレビ放送受信回路は、各々を近接配置した上で、前記光結合器から離して配置されることを特徴とするテレビ受像機。
【請求項５】
請求項１または請求項２に記載のテレビ受像機において、
前記第１及び第２の線形増幅器は利得可変であり、前記第１及び第２のテレビ放送受信回路は受信信号の飽和を検出して利得制御信号を生成し、前記第１及び第２の線形増幅器の利得を制御することを特徴とするテレビ受像機。
【請求項６】
請求項１に記載のテレビ受像機において、
前記第１のレーザダイオードが発生する光の波長は１．５５μｍであり、前記第２レーザダイオードが発生する光の波長は１．３１μｍであることを特徴とするテレビ受像機。
【請求項７】
請求項１に記載のテレビ受像機において、
前記第１及び第２のレーザダイオードが発生する光の波長は１．５５μｍ、１．５１μｍ、１．３１μｍ、８５０ｎｍのうちの互いに異なるいずれかであることを特徴とするテレビ受像機。
【請求項８】
請求項１または請求項２に記載のテレビ受像機におけるテレビ受信基板であって、
前記第１のアンテナ入力端子と、前記第１の低雑音増幅器と、前記第１のレーザダイオードと、第２のアンテナ入力端子と、前記第２の低雑音増幅器と、前記第２のレーザダイオードと、前記光結合器と、前記光ファイバーケーブルと、前記光分配器と、前記第１のフォトダイオードと、前記第１の線形増幅器と、前記第１のテレビ放送受信回路と、前記第２のフォトダイオードと、前記第２の線形増幅器と、前記第２のテレビ放送受信回路と、前記第１のテレビ放送受信回路で処理された前記電気信号と前記第２のテレビ放送受信回路で処理された前記電気信号とから選択されたいずれかの電気信号を出力するビデオ信号出力回路
を備えたことを特徴とするテレビ受信基板。
【請求項９】
請求項１または請求項２に記載のテレビ受像機におけるテレビ受信チューナーであって、
前記第１のアンテナ入力端子と、前記第１の低雑音増幅器と、前記第１のレーザダイオードと、第２のアンテナ入力端子と、前記第２の低雑音増幅器と、前記第２のレーザダイオードと、前記光結合器と、前記光ファイバーケーブルと、前記光分配器と、前記第１のフォトダイオードと、前記第１の線形増幅器と、前記第１のテレビ放送受信回路と、前記第２のフォトダイオードと、前記第２の線形増幅器と、前記第２のテレビ放送受信回路
を備えたことを特徴とするテレビ受信チューナー。
【請求項１０】
所定の放送方式に基づくテレビ放送信号を受信して表示するテレビ受像機であって、
前記テレビ放送信号が入力されるＮ個（Ｎは２以上の整数）のアンテナ入力端子と、
当該アンテナ入力端子から供給された前記テレビ放送信号を各々増幅するＮ個の低雑音増幅器と、
当該Ｎ個の低雑音増幅器で増幅された前記テレビ放送信号の各々に基づいて強度変調された光を互いに異なる波長で発生するＮ個のレーザダイオードと、
前記Ｎ個のレーザダイオードが発生したＮ個の光を結合する光結合器と、
当該光結合器が結合した光を供給されて当該光を伝送する光ファイバーケーブルと、
当該光ファイバーケーブルが伝送した光を供給されて当該光を波長に基づき前記Ｎ個の光に分離して出力する光分配器と、
当該光分配器から前記Ｎ個の光の各々が供給され当該光を電気信号に変換するＮ個のフォトダイオードと、
前記テレビ放送信号の周波数帯域を有し前記Ｎ個のフォトダイオードで変換して得たＮ個の前記電気信号の各々が供給され当該電気信号を増幅するＮ個の線形増幅器と、
当該Ｎ個の線形増幅器で増幅された前記Ｎ個の電気信号が供給され当該電気信号のいずれか１個を選択し周波数変換して処理するＮ入力ダイバーシチ機能を有するテレビ放送受信回路と、
当該テレビ放送受信回路で処理された前記電気信号に基づく映像を表示する表示部
を備えたことを特徴とするテレビ受像機。
【請求項１１】
請求項１０に記載のテレビ受像機において、
前記低雑音増幅器と前記レーザダイオードと前記光結合器は、前記アンテナ入力端子に近接して配置され、
前記光分配器と前記フォトダイオードと前記線形増幅器と前記テレビ放送受信回路は、各々を近接配置した上で、前記光結合器から離して配置されることを特徴とするテレビ受像機。
【請求項１２】
請求項１０に記載のテレビ受像機において、
前記線形増幅器は利得可変であり、前記テレビ放送受信回路は受信信号の飽和を検出して利得制御信号を生成し、前記線形増幅器の利得を制御することを特徴とするテレビ受像機。
【請求項１３】
請求項１０に記載のテレビ受像機において、
前記Ｎは２乃至４であって、前記Ｎ個のレーザダイオードが発生する光の波長は１．５５μｍ、１．５１μｍ、１．３１μｍ、８５０ｎｍのうちの互いに異なるいずれかであることを特徴とするテレビ受像機。
【請求項１４】
請求項１０に記載のテレビ受像機におけるテレビ受信基板であって、
前記アンテナ入力端子と、前記低雑音増幅器と、前記レーザダイオードと、前記光結合器と、前記光ファイバーケーブルと、前記光分配器と、前記フォトダイオードと、前記線形増幅器と、前記テレビ放送受信回路と、当該テレビ放送受信回路で処理された前記電気信号を出力するビデオ信号出力回路
を備えたことを特徴とするテレビ受信基板。
【請求項１５】
請求項１０に記載のテレビ受像機におけるテレビ受信チューナーであって、
前記アンテナ入力端子と、前記低雑音増幅器と、前記レーザダイオードと、前記光結合器と、前記光ファイバーケーブルと、前記光分配器と、前記フォトダイオードと、前記線形増幅器と、前記テレビ放送受信回路
を備えたことを特徴とするテレビ受信チューナー。
【発明の詳細な説明】
【技術分野】
【０００１】
本発明は、デジタル衛星テレビ放送とデジタル地上波テレビ放送を受信可能なテレビ放送受信装置、およびそれに用いられるテレビ受信プリント基板に関する。
さらに、テレビ放送受信機能を有するカーナビゲーション装置、タブレット端末（電子書籍リーダー）にも応用可能である。
【背景技術】
【０００２】
デジタル方式テレビ放送が放送エリアを全国展開され、対応テレビ買い替えが進むまでの期間は、アナログ方式テレビ放送との両方が受信可能なテレビが要求される。
国内のアナログ方式とデジタル方式の場合は、テレビのアンテナ入力端子は１個で良いが、受信チューナー、復調回路、映像音声復号回路は、２系統必要となる。
また、地上波放送のみならず、12GHz帯を用いた衛星テレビ放送もサービスされており、これらを受信可能とするには、テレビのアンテナ入力端子は２個、受信チューナー以降の信号処理回路は３系統必要となる。
【０００３】
近年、デジタル方式化に伴い、磁気ディスク（ＨＤＤ）や、光ディスク（ＢＤ、DVDディスク）への番組録画が普及し、視聴しながら録画すると言う、裏番組録画が行われている。
これに対応するために、録画機能を有するテレビは、アンテナ端子として地上波放送と衛星放送の２個の入力端子が必要なほかに、チューナーの後段には、地上波放送に対応するデジタル方式用の２系統とアナログ方式用１系統、衛星放送に対応するデジタル方式用２系統と、多くの信号処理回路が必要となる。
この必要性は、テレビのみならず、多チャンネル同時録画可能な光ディスク記録装置やＨＤ記録装置でも同様である。
【０００４】
この種の複数系統のテレビ放送信号を受信可能としたテレビ受像機の従来技術を開示した文献として、特許文献１がある。
特許文献１は、２系統の受信技術を開示し、上記の地上波放送のデジタル方式／アナログ方式、もしくは地上波放送と衛星放送が受信可能である。
また、放送電波を受信して周波数変換するチューナー部は、映像音声復号やデジタル映像信号生成回路が実装されるテレビプリント基板とは別のプリント基板に作られて、テレビプリント基板にはんだ付けされる。
チューナー基板は、外来雑音を除去するために、基板上面を金属板により遮蔽されるのが一般的である。
【先行技術文献】
【特許文献】
【０００５】
【特許文献１】特許第４７４７４０９号公報
【発明の概要】
【発明が解決しようとする課題】
【０００６】
上記のように、複数のアンテナを有し、複数系統の受信チューナーや信号処理部が必要なテレビでは、信号干渉により映像が乱れる受信障害が問題となる。
具体的には、受信チューナーが出力する複数のＩＦ信号間の干渉、受信チューナー内の局部発振信号の漏洩による受信障害、映像音声復号部やデジタル映像信号生成回路部が発生する高周波雑音が高周波受信部に回り込む障害、映像信号をテレビ外へ伝送するインターフェース部（ＨＤＭＩ、イーサネット（登録商標））が発生する雑音、などである。
従来技術では、この問題点に関し、具体的な解決策が示されていない。
【０００７】
また、個別に作られる受信チューナーは、内部の高周波受信部がＬＳＩ化されている。このＬＳＩを、映像音声復号等のテレビプリント基板に、直接実装できれば、チューナープリント基板費用、チューナー製造費用が軽減される。
この安価な手段（チューナーのオンボード化とも言う）に対しても、複数系統受信時の受信障害は発生するが、従来技術は解決案を持たない。
また、テレビ放送を車内、電車内で移動受信する場合に、ダイバーシチ受信方式が用いられる。これは、複数のアンテナで受信し、最適な信号を生成する技術であるが、前述の複数系統受信での雑音問題は同様に発生する。
本発明は上記の課題に対し、複数アンテナと複数受信系統を有するテレビの実現手段、受信部を安価に実現する手段、複数アンテナのダイバーシチ受信を実現する手段を提供する。
【課題を解決するための手段】
【０００８】
本発明は、互いに異なる放送方式に基づく第１のテレビ放送信号と第２のテレビ放送信号を受信して表示するテレビ受像機であって、
前記第１のテレビ放送信号が入力される第１のアンテナ入力端子と、当該第１のアンテナ入力端子から供給された前記第１のテレビ放送信号を増幅する第１の低雑音増幅器と、当該第１の低雑音増幅器で増幅された前記第１のテレビ放送信号に基づいて強度変調された第１の光を発生する第１のレーザダイオードと、前記第２のテレビ放送信号が入力される第２のアンテナ入力端子と、当該第２のアンテナ入力端子から供給された前記第２のテレビ放送信号を増幅する第２の低雑音増幅器と、当該第２の低雑音増幅器で増幅された前記第２のテレビ放送信号に基づいて強度変調された第２の光を前記第１の光とは異なる波長で発生する第２のレーザダイオードと、前記第１のレーザダイオードが発生した第１の光と前記第２のレーザダイオードが発生した第２の光とを結合する光結合器と、当該光結合器が結合した光を供給されて当該光を伝送する光ファイバーケーブルと、
当該光ファイバーケーブルが伝送した光を供給されて当該光を前記第１の光と前記第２の光に分離して出力する光分配器と、当該光分配器から前記第１の光を供給され当該光を電気信号に変換する第１のフォトダイオードと、前記第１のテレビ放送信号の周波数帯域を有し前記第１のフォトダイオードで変換して得た前記電気信号が供給され当該電気信号を増幅する第１の線形増幅器と、当該第１の線形増幅器で増幅された前記電気信号が供給され当該電気信号を周波数変換して処理する第１のテレビ放送受信回路と、
前記光分配器から前記第２の光を供給され当該光を電気信号に変換する第２のフォトダイオードと、前記第２のテレビ放送信号の周波数帯域を有し前記第２のフォトダイオードで変換して得た前記電気信号が供給され当該電気信号を増幅する第２の線形増幅器と、当該第２の線形増幅器で増幅された前記電気信号が供給され当該電気信号を周波数変換して処理する第２のテレビ放送受信回路と、前記第１のテレビ放送受信回路で処理された前記電気信号と前記第２のテレビ放送受信回路で処理された前記電気信号とから選択されたいずれかの電気信号に基づく映像を表示する表示部を備えたことを特徴としている。
【０００９】
また本発明は、互いに異なる放送方式に基づく第１のテレビ放送信号と第２のテレビ放送信号を受信して表示するテレビ受像機であって、
前記第１のテレビ放送信号が入力される第１のアンテナ入力端子と、当該第１のアンテナ入力端子から供給された前記第１のテレビ放送信号を増幅するＮ個（Ｎは２以上の整数）の第１の低雑音増幅器と、当該Ｎ個の第１の低雑音増幅器で増幅された前記第１のテレビ放送信号のいずれか１個を排他的に供給され、供給された前記第１のテレビ放送信号に基づいて強度変調された第１の光を互いに異なる波長で発生するＮ個の第１のレーザダイオードと、前記第２のテレビ放送信号が入力される第２のアンテナ入力端子と、当該第２のアンテナ入力端子から供給された前記第２のテレビ放送信号を増幅するＭ個（Ｍは２以上の整数）の第２の低雑音増幅器と、当該Ｍ個の第２の低雑音増幅器で増幅された前記第２のテレビ放送信号のいずれか１個を排他的に供給され、供給された前記第２のテレビ放送信号に基づいて強度変調された光を互いに異なる波長かつ前記第１の光とは異なる波長で発生するＭ個の第２のレーザダイオードと、前記Ｎ個の第１のレーザダイオードが発生したＮ個の第１の光と前記Ｍ個の第２のレーザダイオードが発生したＭ個の第２の光とを結合する光結合器と、当該光結合器が結合した光を供給されて当該光を伝送する光ファイバーケーブルと、
当該光ファイバーケーブルが伝送した光を供給されて当該光を波長に基づき前記Ｎ個の第１の光及び前記Ｍ個の第２の光に分離して出力する光分配器と、当該光分配器から前記Ｎ個の第１の光のいずれか１個を排他的に供給され当該光を電気信号に変換するＮ個の第１のフォトダイオードと、前記第１のテレビ放送信号の周波数帯域を有し前記Ｎ個の第１のフォトダイオードで変換して得たＮ個の前記電気信号のいずれか１個を排他的に供給され当該電気信号を増幅するＮ個の第１の線形増幅器と、当該Ｎ個の第１の線形増幅器で増幅された前記Ｎ個の電気信号が供給され当該電気信号のいずれか１個を選択し周波数変換して処理する第１のテレビ放送受信回路と、前記光分配器から前記Ｍ個の第２の光のいずれか１個を排他的に供給され当該光を電気信号に変換するＭ個の第２のフォトダイオードと、前記第２のテレビ放送信号の周波数帯域を有し前記Ｍ個の第２のフォトダイオードで変換して得たＭ個の前記電気信号のいずれか１個を排他的に供給され当該電気信号を増幅するＭ個の第２の線形増幅器と、当該Ｍ個の第２の線形増幅器で増幅された前記Ｍ個の電気信号が供給され当該電気信号のいずれか１個を選択し周波数変換して処理する第２のテレビ放送受信回路と、前記第１のテレビ放送受信回路で処理された前記電気信号と前記第２のテレビ放送受信回路で処理された前記電気信号とから選択されたいずれかの電気信号に基づく映像を表示する表示部を備えたことを特徴としている。
【００１０】
また本発明は、所定の放送方式に基づくテレビ放送信号を受信して表示するテレビ受像機であって、
前記テレビ放送信号が入力されるＮ個（Ｎは２以上の整数）のアンテナ入力端子と、当該アンテナ入力端子から供給された前記テレビ放送信号を各々増幅するＮ個の低雑音増幅器と、当該Ｎ個の低雑音増幅器で増幅された前記テレビ放送信号の各々に基づいて強度変調された光を互いに異なる波長で発生するＮ個のレーザダイオードと、前記Ｎ個のレーザダイオードが発生したＮ個の光を結合する光結合器と、当該光結合器が結合した光を供給されて当該光を伝送する光ファイバーケーブルと、
当該光ファイバーケーブルが伝送した光を供給されて当該光を波長に基づき前記Ｎ個の光に分離して出力する光分配器と、当該光分配器から前記Ｎ個の光の各々が供給され当該光を電気信号に変換するＮ個のフォトダイオードと、前記テレビ放送信号の周波数帯域を有し前記Ｎ個のフォトダイオードで変換して得たＮ個の前記電気信号の各々が供給され当該電気信号を増幅するＮ個の線形増幅器と、当該Ｎ個の線形増幅器で増幅された前記Ｎ個の電気信号が供給され当該電気信号のいずれか１個を選択し周波数変換して処理するＮ入力ダイバーシチ機能を有するテレビ放送受信回路と、当該テレビ放送受信回路で処理された前記電気信号に基づく映像を表示する表示部を備えたことを特徴としている。
【発明の効果】
【００１１】
本発明によれば、複数アンテナと複数受信系統を有するテレビにおいて、受信障害を低減することができる。また、実施形態に応じては、プリント基板に雑音発生源となる信号処理回路や電源等を自由に配置可能で、かつ安価なテレビ受信プリント基板を提供できるという効果がある。
【図面の簡単な説明】
【００１２】
【図１】第１実施例であるテレビ放送受信プリント基板を示すブロック図。
【図２】第２実施例であるテレビ受像機を示すブロック図。
【図３】第３実施例であるカーナビゲーション装置を示すブロック図。
【図４】第４実施例であるタブレット端末を示すブロック図。
【図５】第５実施例であるテレビ受像機を示すブロック図。
【図６】第６実施例であるテレビ放送受信プリント基板を示すブロック図。
【発明を実施するための形態】
【００１３】
以下、本発明の実施形態につき、図面を用いて説明する。
【実施例１】
【００１４】
図１に、本発明の一実施例である、デジタル地上波テレビ放送受信プリント基板のブロック図を示す。
図１において、１０はテレビ放送受信プリント基板、１１はテレビＬＣＤパネル、１２は映像部電源回路、１３はＬＣＤ電源、１４はＬＣＤドライバ、１６はＬＣＤバックライト駆動回路、１７はＵＳＢインターフェースを持つハードディスクドライブ、５３は映像データを外部へ入出力するＵＳＢインターフェース回路である。
【００１５】
２１は地上波テレビ放送アンテナコネクタ、２３ａは地上波テレビ放送の90MHz〜770MHzを受信して増幅する低雑音増幅器、２４ａは波長１．５５μｍの光を発振し90MHz〜770MHzの信号で光強度変調するレーザダイオードである。
２２はＢＳ放送及びＣＳ放送用パラボラアンテナからのBSIF信号を接続されるアンテナコネクタ、２３ｂはBSIF信号の1.2GHz〜1.7GHzを受信して増幅する低雑音増幅器、２４ｂは波長１．３１μｍの光を発振し1.2GHz〜1.7GHzの信号で光強度変調するレーザダイオード、２５は波長１．５５μｍと波長１．３１μｍの光を結合して光ファイバーへ伝送する光結合器、１５は光ファイバーケーブルである。
【００１６】
３１は光ファイバーケーブル１５からの光を１．５５μｍと１．３１μｍの光に分離して出力する光分配器、３２ａは光強度変調された１．５５μｍの光を90MHz〜770MHzの電気信号に変換するフォトダイオード、３３ａは90MHz〜770MHzを低い歪率で増幅する線形増幅器、４１は90MHz〜770MHzを受信可能なRF受信回路、４２はＯＦＤＭ信号をデジタルデータに復調するＯＦＤＭ復調回路である。
３２ｂは光強度変調された１．３１μｍの光を1.2GHz〜1.7GHzの電気信号に変換するフォトダイオード、３３ｂは1.2GHz〜1.7GHzを低い歪率で増幅する線形増幅器、４３は1.2GHz〜1.7GHzを受信可能なRF受信回路、４４は８相位相変調信号をデジタルデータに復調する８ＰＳＫ復調回路である。
【００１７】
ここでは、レーザダイオード２４ａと２４ｂで発生する光の波長を１．５５μｍと１．３１μｍとしたが、これは本実施例の限定条件ではない。光分配器３１で双方を分離できる程度に波長が異なれば良い。使用例の比較的多い波長で示すと、例えば1.51μｍと１．３１μｍ、１．５５μｍと0.85μｍ（850ｎｍ）、1.51μｍと0.85ｎｍなどとすれば良い。
【００１８】
５０はH.264やMPEG2MP＠HLで圧縮されたデータを映像信号に復号するマルチメディア処理回路である。
６４はＯＦＤＭ復調回路４２が線形増幅器３３ａの利得を制御する自動利得制御信号、６５は８ＰＳＫ復調回路４４が線形増幅器３３ａの利得を制御する自動利得制御信号、
７１はテレビ制御回路（マイクロコンピュータＬＳＩ）である。
【００１９】
90MHz〜770MHzの地上波デジタルテレビ放送信号は、アンテナコネクタ２１より低雑音増幅器２３ａに入力される。低雑音増幅器２３ａで増幅された信号により、レーザダイオード２４ａは波長１．５５μｍの光信号を強度変調して光結合器２５へ出力する。
これにより、テレビ放送信号の振幅及び位相は光信号に保持されて伝送される。
【００２０】
1.2GHz〜1.7GHzの衛星デジタルテレビ放送信号は、アンテナコネクタ２２より低雑音増幅器２３ｂに入力される。低雑音増幅器２３ｂで増幅された信号により、レーザダイオード２４ｂは波長１．３１μｍの光信号を強度変調して光結合器２５へ出力する。
光結合器２５は１．５５μｍの光と、１．３１μｍの光を多重して、光ファイバー１５へ出力する。この光信号による多重伝送をＳＣＭ（Sub Carrier Multiplexing）と言う。
【００２１】
光信号は、光分配器３１により１．５５μｍと１．３１μｍに分離されてフォトダイオードへ出力される。フォトダイオード３２ａは１．５５μｍの光信号を復調して、90MHz〜770MHzの電気信号を線形増幅器３３ａへ出力する。
低い歪率で増幅された信号は、ＲＦ受信回路４１で選ばれたテレビチャンネルだけが選択受信されて、ベースバンドＩＱ信号に変換される。
ＯＦＤＭ復調回路４２はベースバンドＩＱ信号をトランスポートストリーム形式のデジタルデータに復調して、マルチメディア処理回路５０へ出力する。
【００２２】
マルチメディア処理回路５０は内蔵する映像復号回路５８において、Ｈ．２６４で圧縮されたトランスポートストリームを、伸長処理してデジタル映像信号に復号する。
デジタルＹＰｂＰｒフォーマットの映像信号はビデオ信号出力回路５７で電力増幅され、さらにＬＣＤドライバ１４によりＬＣＤパネル１１を駆動可能な信号に変換出力される。
このようにして、テレビ放送受信プリント基板１０で受信された地上波デジタル放送信号は、テレビＬＣＤパネル１１に表示されて視聴される。
【００２３】
上記の動作において、線形増幅器３３ａは外部制御信号により利得を可変できるように構成しておき、ＯＦＤＭ復調回路４２が受信信号の飽和を検出した場合は、自動利得制御信号（ＡＧＣ信号）６４により線形増幅器３３ａの利得を下げるように自動調整しても良い。
一方、光結合器２５で分離された１．３１μｍの光は、フォトダイオード３２ｂで1.2GHz〜1.7GHzの電気信号に変換される。線形増幅器３３ｂで低い歪率で増幅されて、ＲＦ受信回路４３で周波数変換される。
【００２４】
８ＰＳＫ復調回路４２で復調されたトランスポートストリーム形式のデジタルデータは、マルチメディア処理回路５０に入力される。
この時、テレビＬＣＤパネル１１がアンテナコネクタ２１から入力された地上波放送を表示している場合でも、マルチメディア処理回路５０は、アンテナコネクタ２２から入力された衛星デジタルテレビ放送をハードディスクドライブ１７へ記録できる。もちろん、反対にテレビＬＣＤパネル１１がアンテナコネクタ２２から入力された衛星デジタル放送を表示している場合でも、マルチメディア処理回路５０は、アンテナコネクタ２１から入力された地上波放送をハードディスクドライブ１７へ記録できる。
マルチメディア処理回路５０は、ＴＳ出力回路６２から圧縮されたままのトランスポートストリームをＵＳＢインターフェース回路５３へ出力する。トランスポートストリームは、ＵＳＢ伝送され、ハードディスクドライブ１７に記録される。
このようにして、２本のアンテナから２系統で受信し、一方をテレビＬＣＤに表示して視聴しつつ、他方をハードディスクドライブに記録する事が可能である。
【００２５】
このテレビ放送受信プリント基板１０のＬＣＤドライバ１４、バックライト駆動回路１６、およびマルチメディア処理回路５０はデジタル放送信号周波数帯90MHz〜770MHzに対しての受信障害を引き起こす雑音発生源となる。
このため従来は、少なくもＬＮＡ２３ａとＲＦ受信回路４１、及び少なくもＬＮＡ２３ｂとＲＦ受信回路４３を別のプリント基板上に製作して、上面を金属板でシールドしてモジュール部品の形態で、テレビ放送受信プリント基板１０へはんだ付けしていた。
【００２６】
これに対し、本実施例ではレーザダイオード２４ａ，２４ｂからフォトダイオード３２ａ，３２ｂに到る構成要素を備え、光ファイバーケーブル１５により信号伝送する。このため、ＬＮＡ２３ａ，２３ｂから線形増幅器３３ａ，３３ｂに到る部分で特に問題となるＬＣＤドライバ１４等が発生する電磁波雑音の影響を、低減することができる。
従って、低雑音増幅器２３ａからＯＦＤＭ復調回路４２までの全てを、テレビ放送受信プリント基板１０に直接実装でき、従来のように一部分をモジュール部品化する必要が無いため、テレビ受像機を安価に実現可能である。
【００２７】
なお、実施例１に対して構成要素を追加した次のような実施例を考えることができる。一つのアンテナコネクタ２１より入力された地上波デジタルテレビ放送信号をＮ分割し（Ｎは２以上の整数）、互いに図１で示すように接続された低雑音増幅器２３ａとレーザダイオード２４ａをＮ系統設けて、各々に供給する。また、一つのアンテナコネクタ２２より入力された衛星デジタルテレビ放送信号をＭ分割し（Ｍは２以上の整数）、互いに図１で示すように接続された低雑音増幅器２３ｂとレーザダイオード２４ｂをＭ系統設けて、各々に供給する。Ｎ個のレーザダイオード２４ａ（２４ａ１〜２４ａＮ）、Ｍ個のレーザダイオード２４ｂ（２４ｂ１〜２４ｂＭ）のレーザダイオードは互いに異なる波長の光を発生し、発生された光は光結合器２５で結合される。
【００２８】
光結合器２５で結合された光は、光ファイバーケーブル１５を介して光分配器３１に伝送される。光分配器３１は供給された光を、波長に応じてＮ＋Ｍ個の光に分離する。
互いに図１で示すように接続されたフォトダイオード３２ａと線形増幅器３３ａはＮ系統設けられ、フォトダイオード３２ｂと線形増幅器３３ｂはＭ系統設けられている。光分配器３１は、分離した光の各々が地上波デジタルテレビ放送信号であるか衛星デジタルテレビ放送信号であるかを、光の波長に応じて知ることができるので、前者に属するＮ個の光をＮ個のフォトダイオード３２ａ（３２ａ１〜３２ａＮ）に個別に供給し、後者に属するＭ個の光をＭ個のフォトダイオード３２ｂ（３２ｂ１〜３２ａＭ）に個別に供給する。
【００２９】
Ｎ個のフォトダイオード３２ａ１〜３２ａＮで得た電気信号は、Ｎ個の線形増幅器３３ａ（３３ａ１〜３３ａＮ）に個別に供給されて低い歪率で増幅され、Ｍ個のフォトダイオード３２ｂ１〜３２ｂＭで得た電気信号は、Ｍ個の線形増幅器３３ｂ（３３ｂ１〜３３ｂＭ）に個別に供給されて低い歪率で増幅される。Ｎ個の線形増幅器３３ａ１〜３３ａＮの出力は一つのＲＦ受信回路４１に、Ｍ個の線形増幅器３３ｂ１〜３３ｂＭの出力は一つのＲＦ受信回路４３に供給される。
ＲＦ受信回路４１は供給されたＮ個の信号から、ＲＦ受信回路４３は供給されたＭ個の信号から、最も品質の良い一つの信号を選択して受信処理を行う。これにより、テレビ放送受信プリント基板１０で受ける受信妨害が最も少ない信号を選択して処理することができ、受信品質の向上に寄与することができる。
【実施例２】
【００３０】
図２に本発明をテレビ受像機に適用した実施例を示す。
テレビ受像機はテレビ放送受信プリント基板１０、テレビＬＣＤパネル１１、ハードディスクドライブ１７、スピーカ８１を有する。
テレビ放送受信プリント基板１０は、入力部２０（第１図の低雑音増幅器２３、レーザダイオード２４及び光結合器２５を有する）、Ｏ／Ｅ変換部３０（第１図の光分配器３１、フォトダイオード３２及び線形増幅器３３を有する）、受信部４０（第１図のＲＦ受信回路４１、４３、ＯＦＤＭ復調回路４２及び８相ＰＳＫ復調回路４４を有する）、マルチメディア処理部５０を含む。
【００３１】
本実施例では、受信部４０は、プリント基板上の電磁波雑音の影響は受けにくいため、従来別基板で構成していたＬＣＤ電源回路１３や、バックライト駆動回路１６などの回路もテレビ放送受信プリント基板１０に実装可能である。
また、入力部２０をテレビ放送受信プリント基板１０の端面に配し（図の左端）、光ファイバーケーブル１５をプリント基板１０の他端（図の右側）まで配線して、Ｏ／Ｅ変換部３０を配置する事が可能である。このようにする事で、ＬＣＤ電源回路１３、映像部電源回路１２、バックライト駆動回路１６及びＬＣＤドライバ１４を、テレビ放送受信プリント基板１０上の任意の位置に配置でき、設計の自由度が増す。
【００３２】
例えば、従来必要であった、回路間の分離距離を取らずに済み、プリント基板を小型、安価に実現できる。
このように、テレビ受像機に必要とされる様々な回路を、テレビ放送受信プリント基板１枚に実装できるため、安価にテレビ受像機を実現可能である。
【実施例３】
【００３３】
図３に本発明を、カーナビゲーション装置に適用した実施例を示す。
図３において、１９はカーナビゲーション装置プリント基板、９１はカーナビゲーション装置制御回路（マイクロコンピュータＬＳＩ）、８１ａ〜８１ｄは地上波デジタルテレビ用ダイバーシチアンテナ、８４はＧＰＳ方式アンテナ、９２はＧＰＳ方式無線送受信部、９３はＧＰＳ方式受信処理部、８５はブルートゥース方式アンテナ、９４はブルートゥース方式無線送受信部、９５はブルートゥース方式通信処理部、９６は地図データ記憶部、９７はマイク、９８はオーディオスピーカーである。
【００３４】
カーナビゲーション装置は、ＧＰＳ方式無線受信部９２により特定した現在位置を、地図データ記憶部９６に格納された地図と共に、ＬＣＤパネル１１に表示するものである。
ブルートゥース方式無線送受信部９４により、車内に持ち込んだ携帯電話機と接続し、マイク９７とオーディオスピーカー９８を経由して、携帯電話の通話相手とハンズフリー通話も可能である。
走行中にこのカーナビゲーション装置で、地上波デジタルテレビ放送を視聴する場合、フェージングによるマルチパス受信特性劣化を補うために、受信ダイバーシチ方式を用いる必要がある。本実施例のように、受信アンテナを４本用いて、最適な信号を選択し合成する事で、受信特性を改善する。
【００３５】
このように、カーナビゲーション装置プリント基板１９には、デジタル放送信号周波数帯90MHz〜770MHzに対して受信障害を引き起こす雑音発生源となるブルートゥース無線送受信部９４、ＧＰＳ方式受信処理部９３、マルチメディア処理部５０などが実装されている。
本実施例の光ファイバーケーブル１５は、これら雑音源の影響を受けないため、４系統の地上波デジタルテレビ放送受信回路を、プリント基板１９に直接実装して、ブルートゥース方式回路、ＧＰＳ方式回路と共に実装可能である。
【実施例４】
【００３６】
図４に本発明を、タブレット端末（電子書籍リーダー）に適用した実施例を示す。
図４において、１８はタブレット端末プリント基板、７２はタブレット端末制御回路（マイクロコンピュータＬＳＩ）、８１ａ〜８１ｄは地上波デジタルテレビ用ダイバーシチアンテナ、８２はＷＣＤＭＡ方式アンテナ、９２はＷＣＤＭＡ方式無線送受信部、７４はＷＣＤＭＡ方式通信処理部、８３は無線ＬＡＮ方式アンテナ、９４は無線ＬＡＮ方式無線送受信部、７６は無線ＬＡＮ方式通信処理部、７７は主記憶部である。
【００３７】
タブレット端末は、電子書籍データを主記憶部７７に記憶してＬＣＤパネル１１に表示するものである。電子書籍データは、無線ＬＡＮアンテナ８３、無線ＬＡＮ方式無線送受信部９４及び無線ＬＡＮ通信処理部７６によって、インターネットに接続して受信される。
無線ＬＡＮ以外にも、携帯電話方式であるＷＣＤＭＡアンテナ８２、ＷＣＤＭＡ方式無線送受信部９２及びＷＣＤＭＡ方式通信処理部７４によりインターネットに接続して受信する事も可能である。
このタブレット端末で移動しながら、地上波デジタルテレビ放送を視聴する場合、フェージングによるマルチパス受信特性劣化を補うために、受信ダイバーシチ方式を用いる必要がある。本実施例のように、受信アンテナを４本用いて、最適な信号を選択し合成する事で、受信特性を改善する。
【００３８】
このように、タブレット端末プリント基板１８には、デジタル放送信号周波数帯90MHz〜770MHzに対して受信障害を引き起こす雑音発生源となるＷＣＤＭＡ方式無線送受信部９２、無線ＬＡＮ方式無線送受信部９４などが実装されている。
本実施例の光ファイバーケーブル１５は、これら雑音源の影響を受けないため、４系統の地上波デジタルテレビ放送受信回路を、プリント基板１８に直接実装して、ＷＣＤＭＡ方式回路、無線ＬＡＮ方式回路と共に実装可能である。
【実施例５】
【００３９】
図５に本発明をテレビ受像機に適用した場合の、図２とは異なる実施例を示す。
図５において、９０はテレビ入力モジュール、７０はＯ／Ｅ変換モジュールであり、他は図２と同じである。
【００４０】
テレビ入力モジュール９０は、第１図の低雑音増幅器２３、レーザダイオード２４及び光結合器２５をプリント基板上に実装し、部品上面を金属板で遮蔽した複合部品である。
Ｏ／Ｅ変換モジュール７０は、第１図のＲＦ受信回路４１、４３、ＯＦＤＭ復調回路４２及び８相ＰＳＫ復調回路４４をプリント基板上に実装し、部品上面を金属板で遮蔽した複合部品である。
【００４１】
本実施例は、テレビ放送受信プリント基板１０上に、テレビ入力モジュール９０とＯ／Ｅ変換モジュール７０とを、光ファイバーケーブル１５で接続して配置し、他部品からの電磁波雑音に対して排除能力の高いテレビ受像機を実現する。
このように、テレビ入力モジュール９０と、Ｏ／Ｅ変換モジュール７０を有するテレビ受信チューナーを利用する事で、第２実施例よりさらに雑音排除能力を高くでき、テレビ放送受信プリント基板１０の高密度実装や低価格化、テレビ受像機の小型化を実現可能である。
【実施例６】
【００４２】
図６に本発明の一実施例であって、図１とは異なるテレビ放送受信プリント基板のブロック図を示す。
これまでの実施例では、複数系統のアンテナや、複数系統の放送方式に対応したテレビ受像機、及びテレビ放送受信プリント基板を説明したが、本発明は、１本のアンテナで１方式の受信系統を有するテレビ受像機、テレビ放送受信プリント基板にも適用可能である。
【００４３】
図６は、地上波アンテナコネクタ２１からレーザダイオード２４ａを１系統持ち、光ファイバーケーブル１５でフォトダイオード３２ａと接続し、フォトダイオード３２ａからＯＦＤＭ復調回路４２までを１系統持つ。
このテレビ放送受信プリント基板も、電磁波雑音に対して排除能力が高く、受信障害を起こさない。
【符号の説明】
【００４４】
１０…テレビ放送受信プリント基板、１１…ＬＣＤパネル、１２…映像部電源回路、１３…ＬＣＤ電源、１４…ＬＣＤドライバ、１５…光ファイバーケーブル、１６…ＬＣＤバックライト駆動回路、１７…ハードディスクドライブ、５３…ＵＳＢインターフェース回路、２１，２２…アンテナコネクタ、２３ａ，２３ｂ…低雑音増幅器、２４ａ，２４ｂ…レーザダイオード、２５…光結合器、３１…光分配器、３２ａ，３２ｂ…フォトダイオード、３３ａ，３３ｂ…線形増幅器、４１，４３…ＲＦ受信回路、４２…ＯＦＤＭ復調回路、４４…８ＰＳＫ復調回路、５０…マルチメディア処理回路、６４，６５…自動利得制御信号、７１…テレビ制御回路。
【図１】
0005886624.tif 000002
【図２】
0005886624.tif 000003
【図３】
0005886624.tif 000004
【図４】
0005886624.tif 000005
【図５】
0005886624.tif 000006
【図６】
0005886624.tif 000007